【手続補正書】
【提出日】平成23年2月1日(2011.2.1)
【手続補正１】
【補正対象書類名】特許請求の範囲
【補正対象項目名】全文
【補正方法】変更
【補正の内容】
【特許請求の範囲】
【請求項１】
ネットワークを介して接続される端末に対して、電子カタログを生成するためのサービスを提供する情報処理装置であって、
複数の電子カタログから、任意の電子カタログを選択するカタログ選択部と、前記カタログ選択部によって選択された電子カタログを構成するページから任意のページを選択するページ選択部とを含む前記端末へ表示する操作画面を生成し、前記端末へ送信する操作画面生成手段と、
前記端末で表示される前記操作画面を介して前記カタログ選択部で選択された電子カタログそれぞれにおいて、前記ページ選択部で選択されたページ群からなる電子カタログを結合元の電子カタログを識別するための色で色別しつつ結合することによって、統合電子カタログを生成する電子カタログ生成手段と、
前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、
を備えることを特徴とする情報処理装置。
【請求項２】
前記情報処理装置は、前記カタログ選択部で選択された電子カタログそれぞれにおいて、前記色別表示する目次ページデータを生成する目次ページ生成手段を備え、
前記電子カタログ生成手段は、前記カタログ選択部で選択された電子カタログそれぞれにおいて、前記ページ選択部で選択されたページ群からなる各電子カタログと、前記目次ページデータとを結合して、新たな統合電子カタログを生成する
ことを特徴とする請求項１に記載の情報処理装置。
【請求項３】
前記目次ページ生成手段は、前記各電子カタログのサムネイル画像を含めて目次ページデータを生成する
ことを特徴とする請求項２に記載の情報処理装置。
【請求項４】
前記電子カタログ生成手段は、前記電子カタログの各ページに前記色別情報を配置する
ことを特徴とする請求項２または３に記載の情報処理装置。
【請求項５】
前記ページ選択部で選択されたページ群からなる各電子カタログの表示順序を選択する表示順序選択部を含む、前記端末へ表示すると共に前記統合電子カタログを作成するための電子カタログ作成画面を生成し、前記端末へ送信する電子カタログ作成画面生成手段を更に備える
ことを特徴とする請求項２乃至４の何れか１項に記載の情報処理装置。
【請求項６】
前記電子カタログ作成画面生成手段は、前記色別情報を選択する色別情報選択部を含めて前記電子カタログ作成画面を生成する
ことを特徴とする請求項５に記載の情報処理装置。
【請求項７】
前記電子カタログ作成画面は、更に、前記統合電子カタログの表紙ページを選択するための表紙ページ選択部を備え、
前記電子カタログ生成手段は、表紙ページ選択部によって選択された表紙ページと前記電子カタログと、を結合して新たな統合電子カタログを生成する
ことを特徴とする請求項５または６に記載の情報処理装置。
【請求項８】
前記目次ページ生成手段は、前記目次ページデータとして、更に、前記各電子カタログのページ群の開始ページ番号を含む目次ページデータを生成する
ことを特徴とする請求項２乃至７の何れか１項に記載の情報処理装置。
【請求項９】
前記ページ選択部によって、見開きページを構成する２ページの内の一方のページが選択されている場合には、前記電子カタログ生成手段は、更に、もう一方のページを、前記統合電子カタログに結合する電子カタログのページとして選択する
ことを特徴とする請求項１乃至８の何れか1項に記載の情報処理装置。
【請求項１０】
前記情報処理装置は、
それぞれにセキュリティ設定情報が付与された前記複数の電子カタログを記憶する記憶手段と、
前記統合電子カタログを前記端末へ送信する送信手段と、
を更に備え、
前記送信手段は、前記統合電子カタログを構成する電子カタログそれぞれのセキュリティ設定情報に基づいて、前記統合電子カタログの出力設定を異ならせて、該統合電子カタログを前記端末へ送信する
ことを特徴とする請求項１乃至９の何れか１項に記載の情報処理装置。
【請求項１１】
電子カタログを生成する情報処理装置であって、
複数の電子カタログから、任意の電子カタログを選択するカタログ選択手段と、
前記カタログ選択手段によって選択された電子カタログを構成するページから任意のページを選択するページ選択手段と、
前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、
前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、
を備えることを特徴とする情報処理装置。
【請求項１２】
複数の電子カタログを記憶管理する情報処理装置とネットワークを介して接続される端末を含む情報処理システムであって、
前記端末は、
前記複数の電子カタログから、任意の電子カタログを選択するカタログ選択手段と、
前記カタログ選択手段によって選択された電子カタログを構成するページから任意のページを選択するページ選択手段と、
統合電子カタログ画面生成手段によって生成した統合電子カタログ表示画面を表示する表示手段と、
を備え、
前記情報処理装置は、
前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、
前記電子カタログ生成手段によって生成した前記ページ群からなる電子カタログそれぞれを色別表示する統合電子カタログを含む前記端末へ表示する統合電子カタログ表示画面を生成する統合電子カタログ画面生成手段と、
を備えたことを特徴とする情報処理システム。
【請求項１３】
ネットワークを介して接続される端末に対して、電子カタログを生成するためのサービスを提供する情報処理装置の制御方法であって、
前記情報処理装置のカタログ選択手段が、複数の電子カタログから、任意の電子カタログを選択するカタログ選択ステップ、
前記情報処理装置のページ選択手段が、前記カタログ選択ステップによって選択された電子カタログを構成するページから任意のページを選択するページ選択ステップ、
前記情報処理装置の操作画面生成手段が、前記カタログ選択ステップ及び前記ページ選択ステップを含む前記端末へ表示する操作画面を生成し、前記端末へ送信する操作画面生成ステップ、
前記情報処理装置の電子カタログ生成手段が、前記端末で表示される前記操作画面を介して前記カタログ選択ステップで選択された電子カタログそれぞれにおいて、前記ページ選択ステップで選択されたページ群からなる電子カタログを結合元の電子カタログを識別するための色で色別しつつ結合することによって、統合電子カタログを生成する電子カタログ生成ステップ、
前記情報処理装置の統合電子カタログ画面生成手段が、前記電子カタログ生成ステップによって生成した前記ページ群からなる電子カタログそれぞれを色別表示する統合電子カタログを含む前記端末へ表示する統合電子カタログ表示画面を生成し、前記端末へ送信する統合電子カタログ画面生成ステップ、
を実行することを特徴とする情報処理装置の制御方法。
【請求項１４】
電子カタログを生成する情報処理装置の制御方法であって、
前記情報処理装置のカタログ選択手段が、複数の電子カタログから、任意の電子カタログを選択するカタログ選択ステップ、
前記情報処理装置のページ選択手段が、前記カタログ選択ステップによって選択された電子カタログを構成するページから任意のページを選択するページ選択ステップ、
前記情報処理装置の電子カタログ生成手段が、前記カタログ選択ステップによって選択された電子カタログそれぞれにおいて、前記ページ選択ステップによって選択されたページ群からなる電子カタログを結合元の電子カタログを識別するための色で色別しつつ結合することによって、新たな統合電子カタログを生成する電子カタログ生成ステップ、
前記情報処理装置の統合電子カタログ画面生成手段が、前記電子カタログ生成ステップによって生成した前記ページ群からなる電子カタログそれぞれを色別表示する統合電子カタログを含む前記端末へ表示する統合電子カタログ表示画面を生成し、前記端末へ送信する統合電子カタログ画面生成ステップ、
を実行することを特徴とする情報処理装置の制御方法。
【請求項１５】
複数の電子カタログを記憶管理する情報処理装置とネットワークを介して接続される端末を含む情報処理システムの制御方法であって、
前記端末は、
前記複数の電子カタログから、任意の電子カタログを選択するカタログ選択ステップと、
前記カタログ選択手段によって選択された電子カタログを構成するページから任意のページを選択するページ選択ステップと、
統合電子カタログ画面生成ステップによって生成した統合電子カタログ表示画面を表示する表示ステップと、
を実行し、
前記情報処理装置は、
前記カタログ選択ステップによって選択された電子カタログそれぞれにおいて、前記ページ選択ステップによって選択されたページ群からなる電子カタログを結合元の電子カタログを識別するための色で色別しつつ結合することによって、新たな統合電子カタログを生成する電子カタログ生成ステップと、
前記電子カタログ生成ステップによって生成した前記ページ群からなる電子カタログそれぞれを色別表示する統合電子カタログを含む前記端末へ表示する統合電子カタログ表示画面を生成する統合電子カタログ画面生成ステップと、
を実行することを特徴とする情報処理システムの制御方法。
【請求項１６】
ネットワークを介して接続される端末に対して、電子カタログを生成するためのサービスを提供する情報処理装置において実行されるプログラムであって、
前記情報処理装置を、
複数の電子カタログから、任意の電子カタログを選択するカタログ選択部と、前記カタログ選択部によって選択された電子カタログを構成するページから任意のページを選択するページ選択部とを含む前記端末へ表示する操作画面を生成し、前記端末へ送信する操作画面生成手段と、
前記端末で表示される前記操作画面を介して前記カタログ選択部で選択された電子カタログそれぞれにおいて、前記ページ選択部で選択されたページ群からなる電子カタログを結合元の電子カタログを識別するための色で色別しつつ結合することによって、統合電子カタログを生成する電子カタログ生成手段と、
前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、
して機能させることを特徴とするプログラム。
【請求項１７】
電子カタログを生成する情報処理装置において実行されるプログラムであって、
前記情報処理装置を、
複数の電子カタログから、任意の電子カタログを選択するカタログ選択手段と、
前記カタログ選択手段によって選択された電子カタログを構成するページから任意のページを選択するページ選択手段と、
前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、
前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、
して機能させることを特徴とするプログラム。
【請求項１８】
複数の電子カタログを記憶管理する情報処理装置とネットワークを介して接続される端末を含む情報処理システムにおいて実行されるプログラムであって、
前記端末を、
前記複数の電子カタログから、任意の電子カタログを選択するカタログ選択手段と、
前記カタログ選択手段によって選択された電子カタログを構成するページから任意のページを選択するページ選択手段と、
統合電子カタログ画面生成手段によって生成した統合電子カタログ表示画面を表示する表示手段と、
して機能させ、
前記情報処理装置を、
前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、
前記電子カタログ生成手段によって生成した前記ページ群からなる電子カタログそれぞれを色別表示する統合電子カタログを含む前記端末へ表示する統合電子カタログ表示画面を生成する統合電子カタログ画面生成手段と、
して機能させることを特徴とするプログラム。
【手続補正２】
【補正対象書類名】明細書
【補正対象項目名】発明の名称
【補正方法】変更
【補正の内容】
【発明の名称】情報処理装置、情報処理システム、制御方法、及びプログラム
【手続補正３】
【補正対象書類名】明細書
【補正対象項目名】０００６
【補正方法】変更
【補正の内容】
【０００６】
上記の目的を達成するための第一の発明は、ネットワークを介して接続される端末に対して、電子カタログを生成するためのサービスを提供する情報処理装置であって、複数の電子カタログから、任意の電子カタログを選択するカタログ選択部と、前記カタログ選択部によって選択された電子カタログを構成するページから任意のページを選択するページ選択部とを含む前記端末へ表示する操作画面を生成し、前記端末へ送信する操作画面生成手段と、前記端末で表示される前記操作画面を介して前記カタログ選択部で選択された電子カタログそれぞれにおいて、前記ページ選択部で選択されたページ群からなる電子カタログを結合元の電子カタログを識別するための色で色別しつつ結合することによって、統合電子カタログを生成する電子カタログ生成手段と、前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、を備えることを特徴とする情報処理装置である。
【手続補正４】
【補正対象書類名】明細書
【補正対象項目名】０００７
【補正方法】変更
【補正の内容】
【０００７】
上記の目的を達成するための第二の発明は、電子カタログを生成する情報処理装置であって、複数の電子カタログから、任意の電子カタログを選択するカタログ選択手段と、前記カタログ選択手段によって選択された電子カタログを構成するページから任意のページを選択するページ選択手段と、前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、を備えることを特徴とする情報処理装置である。
【手続補正５】
【補正対象書類名】明細書
【補正対象項目名】０００８
【補正方法】変更
【補正の内容】
【０００８】
上記の目的を達成するための第三の発明は、複数の電子カタログを記憶管理する情報処理装置とネットワークを介して接続される端末を含む情報処理システムであって、前記端末は、前記複数の電子カタログから、任意の電子カタログを選択するカタログ選択手段と、前記カタログ選択手段によって選択された電子カタログを構成するページから任意のページを選択するページ選択手段と、統合電子カタログ画面生成手段によって生成した統合電子カタログ表示画面を表示する表示手段と、を備え、前記情報処理装置は、前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、前記電子カタログ生成手段によって生成した前記ページ群からなる電子カタログそれぞれを色別表示する統合電子カタログを含む前記端末へ表示する統合電子カタログ表示画面を生成する統合電子カタログ画面生成手段と、を備えたことを特徴とする情報処理システムである。
【手続補正６】
【補正対象書類名】明細書
【補正対象項目名】０００９
【補正方法】変更
【補正の内容】
【０００９】
上記の目的を達成するための第四の発明は、ネットワークを介して接続される端末に対して、電子カタログを生成するためのサービスを提供する情報処理装置の制御方法であって、前記情報処理装置のカタログ選択手段が、複数の電子カタログから、任意の電子カタログを選択するカタログ選択ステップ、前記情報処理装置のページ選択手段が、前記カタログ選択ステップによって選択された電子カタログを構成するページから任意のページを選択するページ選択ステップ、前記情報処理装置の操作画面生成手段が、前記カタログ選択ステップ及び前記ページ選択ステップを含む前記端末へ表示する操作画面を生成し、前記端末へ送信する操作画面生成ステップ、前記情報処理装置の電子カタログ生成手段が、前記端末で表示される前記操作画面を介して前記カタログ選択ステップで選択された電子カタログそれぞれにおいて、前記ページ選択ステップで選択されたページ群からなる電子カタログを結合元の電子カタログを識別するための色で色別しつつ結合することによって、統合電子カタログを生成する電子カタログ生成ステップ、前記情報処理装置の統合電子カタログ画面生成手段が、前記電子カタログ生成ステップによって生成した前記ページ群からなる電子カタログそれぞれを色別表示する統合電子カタログを含む前記端末へ表示する統合電子カタログ表示画面を生成し、前記端末へ送信する統合電子カタログ画面生成ステップ、を実行することを特徴とする情報処理装置の制御方法である。
【手続補正７】
【補正対象書類名】明細書
【補正対象項目名】００１０
【補正方法】変更
【補正の内容】
【００１０】
上記の目的を達成するための第五の発明は、電子カタログを生成する情報処理装置の制御方法であって、前記情報処理装置のカタログ選択手段が、複数の電子カタログから、任意の電子カタログを選択するカタログ選択ステップ、前記情報処理装置のページ選択手段が、前記カタログ選択ステップによって選択された電子カタログを構成するページから任意のページを選択するページ選択ステップ、前記情報処理装置の電子カタログ生成手段が、前記カタログ選択ステップによって選択された電子カタログそれぞれにおいて、前記ページ選択ステップによって選択されたページ群からなる電子カタログを結合元の電子カタログを識別するための色で色別しつつ結合することによって、新たな統合電子カタログを生成する電子カタログ生成ステップ、前記情報処理装置の統合電子カタログ画面生成手段が、前記電子カタログ生成ステップによって生成した前記ページ群からなる電子カタログそれぞれを色別表示する統合電子カタログを含む前記端末へ表示する統合電子カタログ表示画面を生成し、前記端末へ送信する統合電子カタログ画面生成ステップ、を実行することを特徴とする情報処理装置の制御方法である。
【手続補正８】
【補正対象書類名】明細書
【補正対象項目名】００１１
【補正方法】変更
【補正の内容】
【００１１】
上記の目的を達成するための第六の発明は、複数の電子カタログを記憶管理する情報処理装置とネットワークを介して接続される端末を含む情報処理システムの制御方法であって、前記端末は、前記複数の電子カタログから、任意の電子カタログを選択するカタログ選択ステップと、前記カタログ選択手段によって選択された電子カタログを構成するページから任意のページを選択するページ選択ステップと、統合電子カタログ画面生成ステップによって生成した統合電子カタログ表示画面を表示する表示ステップと、を実行し、前記情報処理装置は、前記カタログ選択ステップによって選択された電子カタログそれぞれにおいて、前記ページ選択ステップによって選択されたページ群からなる電子カタログを結合元の電子カタログを識別するための色で色別しつつ結合することによって、新たな統合電子カタログを生成する電子カタログ生成ステップと、前記電子カタログ生成ステップによって生成した前記ページ群からなる電子カタログそれぞれを色別表示する統合電子カタログを含む前記端末へ表示する統合電子カタログ表示画面を生成する統合電子カタログ画面生成ステップと、を実行することを特徴とする情報処理システムの制御方法である。
【手続補正９】
【補正対象書類名】明細書
【補正対象項目名】００１２
【補正方法】変更
【補正の内容】
【００１２】
上記の目的を達成するための第七の発明は、ネットワークを介して接続される端末に対して、電子カタログを生成するためのサービスを提供する情報処理装置において実行されるプログラムであって、前記情報処理装置を、複数の電子カタログから、任意の電子カタログを選択するカタログ選択部と、前記カタログ選択部によって選択された電子カタログを構成するページから任意のページを選択するページ選択部とを含む前記端末へ表示する操作画面を生成し、前記端末へ送信する操作画面生成手段と、前記端末で表示される前記操作画面を介して前記カタログ選択部で選択された電子カタログそれぞれにおいて、前記ページ選択部で選択されたページ群からなる電子カタログを結合元の電子カタログを識別するための色で色別しつつ結合することによって、統合電子カタログを生成する電子カタログ生成手段と、前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、して機能させることを特徴とするプログラムである。
【手続補正１０】
【補正対象書類名】明細書
【補正対象項目名】００１３
【補正方法】変更
【補正の内容】
【００１３】
上記の目的を達成するための第八の発明は、電子カタログを生成する情報処理装置において実行されるプログラムであって、前記情報処理装置を、複数の電子カタログから、任意の電子カタログを選択するカタログ選択手段と、前記カタログ選択手段によって選択された電子カタログを構成するページから任意のページを選択するページ選択手段と、前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、前記電子カタログ生成手段によって生成した前記ページ群からなる電子カタログそれぞれを色別表示する統合電子カタログを含む前記端末へ表示する統合電子カタログ表示画面を生成し、前記端末へ送信する統合電子カタログ画面生成手段と、して機能させることを特徴とするプログラムである。
【手続補正１１】
【補正対象書類名】明細書
【補正対象項目名】００１４
【補正方法】変更
【補正の内容】
【００１４】
上記の目的を達成するための第九の発明は、複数の電子カタログを記憶管理する情報処理装置とネットワークを介して接続される端末を含む情報処理システムにおいて実行されるプログラムであって、前記端末を、前記複数の電子カタログから、任意の電子カタログを選択するカタログ選択手段と、前記カタログ選択手段によって選択された電子カタログを構成するページから任意のページを選択するページ選択手段と、統合電子カタログ画面生成手段によって生成した統合電子カタログ表示画面を表示する表示手段と、して機能させ、前記情報処理装置を、前記カタログ選択手段によって選択された電子カタログそれぞれにおいて、前記ページ選択手段によって選択されたページ群からなる電子カタログを結合元の電子カタログを識別するための色で色別しつつ結合することによって、新たな統合電子カタログを生成する電子カタログ生成手段と、前記電子カタログ生成手段によって生成した前記ページ群からなる電子カタログそれぞれを色別表示する統合電子カタログを含む前記端末へ表示する統合電子カタログ表示画面を生成する統合電子カタログ画面生成手段と、して機能させることを特徴とするプログラムである。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】
【手続補正１４】
【補正対象書類名】明細書
【補正対象項目名】００１７
【補正方法】変更
【補正の内容】
【００１７】
本発明によれば、複数の電子カタログから作成する新たな電子カタログの利便性や視認性の向上を図ることができる情報処理装置、情報処理システム、制御方法、プログラムを提供できる。